(57)【要約】【目的】実際の脈波の特徴点の発生時間を正確に決定して、正確な脈波伝播速度を得ることができる脈波伝播速度情報測定装置を提供する。【解決手段】上腕１２に装着される上腕用カフ２０から検出される上腕脈波ｗｂのノッチの検出時間と、心音マイク６４により検出される心音波形のＩＩ音の開始点の検出時間との時間差に基づいて、心臓から上腕１２までを脈波が伝播する速度である脈波伝播速度ｈｂＰＷＶを測定する装置において、補正特徴点検出時間決定手段８２により、上腕脈波ｗｂのノッチの検出時間から、予め定められた第１遅れ時間ＴＬ１ｎを引くことにより、上腕脈波ｗｂのノッチの検出時間を補正した補正ノッチ検出時間ＣＴ１ｎを算出し、その補正ノッチ検出時間ＣＴ１ｎとＩＩ音の開始点の検出時間との時間差から脈波伝播速度ｈｂＰＷＶを算出する。【選択図】　　　　　　　　　　　　図２
2004073722.tif 000002
【特許請求の範囲】
【請求項１】
生体の所定部位に装着されるカフと、配管により該カフに接続されて該カフ内の圧力振動であるカフ脈波を検出する圧力センサとを備えたカフ脈波検出装置であって、
前記圧力センサによって検出されたカフ脈波の特徴点の検出時間から予め定められた遅れ時間を引くことにより、該特徴点の検出時間を補正した補正特徴点検出時間を決定する補正特徴点検出時間決定手段
を含むことを特徴とするカフ脈波検出装置。
【請求項２】
前記遅れ時間に、前記特徴点の部位によって異なる値を用いることを特徴とする請求項１に記載のカフ脈波検出装置。
【請求項３】
生体の所定の２部位においてそれぞれ検出される２つの心拍同期信号の所定部位の検出時間差に基づいて、該２部位間を脈波が伝播する速度に関連する脈波伝播速度情報を測定する脈波伝播速度情報測定装置であって、
請求項１または２に記載のカフ脈波検出装置を備え、
前記補正特徴点検出時間決定手段により決定された補正特徴点検出時間に基づいて、前記脈波伝播速度情報を算出することを特徴とする脈波伝播速度情報測定装置。
【請求項４】
生体の所定の２部位においてそれぞれ検出される２つの心拍同期信号の所定部位の検出時間差に基づいて、該２部位間を脈波が伝播する速度に関連する脈波伝播速度情報を測定する脈波伝播速度情報測定装置であって、
生体の所定の第１部位に装着される第１カフと、
配管により該第１カフに接続されて該第１カフ内の圧力振動である第１カフ脈波を検出する第１圧力センサと、
前記生体の所定の第２部位に装着される第２カフと、
配管により該第２カフに接続されて該第２カフ内の圧力振動である第２カフ脈波を検出する第２圧力センサと、
前記第１圧力センサによって検出された第１カフ脈波の特徴点の検出時間から予め定められた第１遅れ時間を引くことにより、該第１カフ脈波の特徴点の検出時間を補正した第１補正特徴点検出時間を決定し、且つ、前記第２圧力センサによって検出された第２カフ脈波の特徴点の検出時間から予め定められた第２遅れ時間を引くことにより、該第２カフ脈波の特徴点の検出時間を補正した第２補正特徴点検出時間を決定する補正特徴点検出時間決定手段と、
該補正特徴点検出時間決定手段によって決定された第１補正特徴点検出時間と第２補正特徴点検出時間との検出時間差に基づいて、前記脈波伝播速度情報を算出する脈波伝播速度情報算出手段と
を含むことを特徴とする脈波伝播速度情報測定装置。
【請求項５】
前記第１遅れ時間および前記第２時間の少なくとも一方に、前記特徴点の部位によって異なる値を用いることを特徴とする請求項４に記載の脈波伝播速度情報測定装置。
【発明の詳細な説明】
【０００１】
【発明の属する技術分野】
本発明は、生体に装着されるカフを用い、生体からそのカフに伝達されるカフ脈波を検出するカフ脈波検出装置、およびそのカフ脈波検出装置を用いて生体の所定の２部位間を脈波が伝播する速度に関連する脈波伝播速度情報を測定する脈波伝播速度情報測定装置に関するものである。
【０００２】
【従来の技術】
脈波伝播速度情報などの生体情報を測定するために、生体の所定の部位で脈波を検出する脈波検出装置が用いられる。この脈波検出装置として、上腕など生体の所定の部位にカフを装着し、カフ装着部位の血管からそのカフに伝達される圧力振動であるカフ脈波を検出する形式の脈波検出装置すなわちカフ脈波検出装置が用いられることがある。脈波検出装置としてカフ脈波検出装置を用いれば、装置の多くの部分を血圧測定装置と共用できるからである。
【０００３】
【発明が解決しようとする課題】
カフが装着されている部位の血管の脈動がカフに伝達されるには、その脈動が皮下組織や皮膚などの生体組織を伝播する必要があるので、カフに発生するカフ脈波は、カフ下の血管において生じている脈波に対して遅れている。また、カフ内で生じたカフ脈波が圧力センサに検出されるには、カフ脈波が配管内を伝播して圧力センサに到達する必要があるので、圧力センサに検出されるカフ脈波は、カフにおいて発生したカフ脈波に対して遅れている。従って、カフ脈波検出装置により検出されるカフ脈波は、実際に血管において生じている脈波に対して遅れが生じているという問題がある。そのため、脈波の特徴点の検出時間に基づいて算出される脈波伝播速度情報などの生体情報を決定する際に、従来のカフ脈波検出装置によって検出されるカフ脈波を用いた場合、決定される生体情報の精度は不十分であった。
【０００４】
本発明は以上の事情を背景として為されたものであって、その目的とするところは、実際の脈波の特徴点の発生時間を正確に決定することができるカフ脈波検出装置を提供することにある。
【０００５】
【課題を解決するための手段】
本発明者は上記目的を達成するために種々検討を重ねた結果、カフ脈波の遅れは、脈波が生体組織および配管などの装置内を伝播することによって生じるが、生体組織の厚さは略一定値とみなすことができることから、脈波が生体組織を伝播する時間は略一定とみなすことができ、また、装置内を脈波が伝播する時間も一定であることから、遅れ時間は一定であることを見い出した。本発明は、かかる知見に基づいて成されたものである。
【０００６】
【課題を解決するための手段】
上記目的を達成するための本発明は、生体の所定部位に装着されるカフと、配管によりそのカフに接続されてそのカフ内の圧力振動であるカフ脈波を検出する圧力センサとを備えたカフ脈波検出装置であって、前記圧力センサによって検出されたカフ脈波の特徴点の検出時間から、予め定められた遅れ時間を引くことにより、その特徴点の検出時間を補正した補正特徴点検出時間を決定する補正特徴点検出時間決定手段を含むことを特徴とする。
【０００７】
【発明の効果】
この発明によれば、補正特徴点検出時間決定手段により決定される補正特徴点検出時間は、カフ脈波の特徴点の検出時間から予め定められた遅れ時間が差し引かれた時間であるので、その補正特徴点検出時間は実際の特徴点の発生時間を正確に表している。
【０００８】
【発明の他の態様】
動脈で生じた脈波が生体組織へ伝播する際や、その脈波が生体組織からカフ内の空気へ伝播する際などには応答遅れが生じ、また、その応答遅れは特徴点の部位によって異なる。そこで、好ましくは、前記遅れ時間には、前記特徴点の部位によって異なる値が用いられる。このようにすれば、特徴点の部位によって異なる値に設定された遅れ時間に基づいて補正特徴点検出時間が決定されるので、決定された補正特徴点検出時間は、実際の特徴点の発生時間をより正確に表すようになる。
【０００９】
また、前記カフ脈波検出装置は脈波伝播速度情報測定装置に用いられる。すなわち、その脈波伝播速度情報測定装置は、生体の所定の２部位においてそれぞれ検出される２つの心拍同期信号の所定部位の検出時間差に基づいて、該２部位間を脈波が伝播する速度に関連する脈波伝播速度情報を測定する脈波伝播速度情報測定装置であって、前記カフ脈波検出装置を備え、前記補正特徴点検出時間決定手段により決定された補正特徴点検出時間に基づいて、前記脈波伝播速度情報を算出することを特徴とする。補正特徴点検出時間決定手段により決定される補正特徴点検出時間は特徴点の発生時間を正確に表していることから、このように、その補正特徴点検出時間に基づいて脈波伝播速度情報を算出すると、正確な脈波伝播速度情報が得られる。
【００１０】
また、好ましくは、前記カフ脈波検出装置を２つ備えて脈波伝播速度情報測定装置が構成される。すなわち、その脈波伝播速度情報測定装置は、生体の所定の２部位においてそれぞれ検出される２つの心拍同期信号の所定部位の検出時間差に基づいて、その２部位間を脈波が伝播する速度に関連する脈波伝播速度情報を測定する脈波伝播速度情報測定装置であって、生体の所定の第１部位に装着される第１カフと、配管によりその第１カフに接続されてその第１カフ内の圧力振動である第１カフ脈波を検出する第１圧力センサと、前記生体の所定の第２部位に装着される第２カフと、配管によりその第２カフに接続されてその第２カフ内の圧力振動である第２カフ脈波を検出する第２圧力センサと、前記第１圧力センサによって検出された第１カフ脈波の特徴点の検出時間から予め定められた第１遅れ時間を引くことにより、その第１カフ脈波の特徴点の検出時間を補正した第１補正特徴点検出時間を決定し、且つ、前記第２圧力センサによって検出された第２カフ脈波の特徴点の検出時間から予め定められた第２遅れ時間を引くことにより、その第２カフ脈波の特徴点の検出時間を補正した第２補正特徴点検出時間を決定する補正特徴点検出時間決定手段と、その補正特徴点検出時間決定手段によって決定された第１補正特徴点検出時間と第２補正特徴点検出時間との検出時間差に基づいて、前記脈波伝播速度情報を算出する脈波伝播速度情報算出手段とを含むことを特徴とする。このようにすれば、特徴点の発生時間を正確に表す２つの補正特徴点検出時間に基づいて脈波伝播速度情報が算出されるので、正確な脈波伝播速度情報が得られる。
【００１１】
また、好ましくは、前記第１遅れ時間および前記第２遅れ時間の少なくとも一方には、前記特徴点の部位によって異なる値が用いられる。このようにすれば、第１補正特徴点検出時間および第２補正特徴点検出時間の少なくとも一方が、実際の特徴点の発生時間をより正確に表すようになるので、より正確な脈波伝播速度情報が得られる。
【００１２】
【発明の実施の形態】
以下、本発明の実施の形態を図面に基づいて詳細に説明する。図１は、カフ脈波検出装置としての機能を備えた脈波伝播速度情報測定装置１０の構成を示すブロック図である。
【００１３】
脈波伝播速度情報測定装置１０は、上腕１２における脈波（上腕脈波）ｗｂを検出する上腕脈波検出装置１４と、足首１６における脈波（足首脈波）ｗａを検出する足首脈波検出装置１８とを備えている。
【００１４】
上腕脈波検出装置１４は、ゴム製袋を布製帯状袋内に有して被測定者の上腕１２に巻回され、第１カフとして機能する上腕用カフ２０、この上腕用カフ２０に第１配管２２を介してそれぞれ接続された第１圧力センサ２４、および調圧弁２６を備えている。調圧弁２６には、さらに配管２８を介して空気ポンプ３０が接続されている。調圧弁２６は、空気ポンプ３０から供給される圧縮空気を、その圧力を調圧して上腕用カフ２０内へ供給することにより、あるいは、上腕用カフ２０内の空気を排気することにより上腕用カフ２０内の圧力を調圧する。
【００１５】
第１圧力センサ２４は、上腕用カフ２０内の圧力を検出してその圧力を表す圧力信号ＳＰ１を静圧弁別回路３２および脈波弁別回路３４にそれぞれ供給する。静圧弁別回路３２はローパスフィルタを備え、圧力信号ＳＰ１に含まれる定常的な圧力すなわち上腕用カフ２０の圧迫圧力（以下、この圧力を上腕カフ圧ＰＣＢという）を表す上腕カフ圧信号ＳＣＢを弁別してその上腕カフ圧信号ＳＣＢをＡ／Ｄ変換器３６を介して電子制御装置３８へ供給する。
【００１６】
脈波弁別回路３４はバンドパスフィルタを備え、圧力信号ＳＰ１の振動成分である上腕脈波信号ＳＭＢを周波数的に弁別してその上腕脈波信号ＳＭＢをＡ／Ｄ変換器４０を介して電子制御装置３８へ供給する。この上腕脈波信号ＳＭＢが表す上腕脈波ｗｂは、上腕用カフ２０内の振動成分であるのでカフ脈波である。なお、第１圧力センサ２４から出力される圧力信号ＳＰ１は、静圧成分の有無が上腕脈波信号ＳＭＢと異なるのみであるので、圧力信号ＳＰ１もカフ脈波であるといえる。
【００１７】
足首脈波検出装置１８は、第２カフとして機能する足首用カフ４２、および上腕脈波検出装置１４に備えられたものと同一の構成を有する圧力センサ（第２圧力センサ）４４、調圧弁４６、空気ポンプ４８、静圧弁別回路５０、脈波弁別回路５２を備え、足首用カフ４２と第２圧力センサ４４および調圧弁４６とは第２配管５４により相互に接続されており、調圧弁４６と空気ポンプ４８は配管５６により接続されている。第２圧力センサ４４は、足首用カフ４２内の圧力を表す圧力信号ＳＰ２を、静圧弁別回路５０および脈波弁別回路５２にそれぞれ供給する。静圧弁別回路５０は圧力信号ＳＰ２に含まれる定常的な圧力すなわち足首用カフ４２の圧迫圧力（以下、この圧力を足首カフ圧ＰＣＡという）を表す足首カフ圧信号ＳＣＡを弁別してその足首カフ圧信号ＳＣＡをＡ／Ｄ変換器５８を介して電子制御装置３８へ供給し、脈波弁別回路５２は、圧力信号ＳＰ２の振動成分である足首脈波信号ＳＭＡを周波数的に弁別してその足首脈波信号ＳＭＡをＡ／Ｄ変換器６０を介して電子制御装置３８へ供給する。この足首脈波信号ＳＭＡが表す足首脈波ｗａは、足首用カフ４２内の振動成分であるのでカフ脈波である。なお、第２圧力センサ４４から出力される圧力信号ＳＰ２は、静圧成分の有無が足首脈波信号ＳＭＡと異なるのみであるので、圧力信号ＳＰ２もカフ脈波であるといえる。
【００１８】
入力装置６２は、被測定者の身長ｔが入力されるための図示しない複数の入力キーを備えており、入力された被測定者の身長ｔを表す身長信号ｓｔを電子制御装置３８へ供給する。
【００１９】
心音マイク６４は、被測定者の図示しない胸部上に図示しない粘着テープ等により固定される。心音マイク６４は、心拍同期信号である心音を検出する心拍同期信号検出装置であり、心音マイク６４の図示しない内部に備えられている圧電素子において、被測定者の心臓から発生する心音等を電気信号すなわち心音信号ＳＨに変換する。心音信号増幅器６６には、心音の高音成分をよく記録するためにエネルギーの大きい低音成分を弱める図示しない４種類のフィルタが備えられており、心音信号増幅器６６は、心音マイク６４から供給される心音信号ＳＨを増幅し且つろ波した後に、図示しないＡ／Ｄ変換器を介して電子制御装置３８へ出力する。
【００２０】
電子制御装置３８は、ＣＰＵ６８，ＲＯＭ７０，ＲＡＭ７２，および図示しないＩ／Ｏポート等を備えた所謂マイクロコンピュータにて構成されており、ＣＰＵ６８は、ＲＯＭ７０に予め記憶されたプログラムに従ってＲＡＭ７２の記憶機能を利用しつつ信号処理を実行することにより、Ｉ／Ｏポートから駆動信号を出力して２つの空気ポンプ３０、４８および２つの調圧弁２６、４６を制御する。ＣＰＵ６８は、それら空気ポンプ３０、４８および調圧弁２６、４６を制御することにより、上腕カフ圧ＰＣＢおよび足首カフ圧ＰＣＡを制御する。また、ＣＰＵ６８は、電子制御装置３８に供給される信号に基づいて演算処理を実行することにより、脈波伝播速度ＰＷＶを決定し、その決定した脈波伝播速度ＰＷＶを表示器７４に表示する。
【００２１】
図２は、電子制御装置３８の制御機能の要部を説明する機能ブロック線図である。
【００２２】
カフ圧制御手段８０は、後述する脈波伝播速度算出手段８４からの指令信号に従って、静圧弁別回路３２、５０から供給される上腕カフ圧信号ＳＣＢおよび足首カフ圧信号ＳＣＡに基づいて２つの空気ポンプ３０、４８およびその２つの空気ポンプ３０、４８にそれぞれ接続された調圧弁２６、４６を制御して、上腕カフ圧ＰＣＢおよび足首カフ圧ＰＣＡを所定の脈波検出圧に制御する。ここで、脈波検出圧とは、それぞれのカフ２０、４２が装着されている部位における最低血圧値よりも低い圧力であって脈波弁別回路３４、５２により弁別される脈波信号ＳＭが十分な信号強度となるような圧力であり、たとえば、それぞれ５０ｍｍＨｇに設定されている。
【００２３】
補正特徴点検出時間決定手段８２は、脈波弁別回路３４から供給される上腕脈波信号ＳＭＢが表す上腕脈波ｗｂの特徴点が検出された時間から、予め実験に基づいて設定された第１遅れ時間ＴＬ１を引くことにより、その特徴点の検出時間を補正した第１補正特徴点検出時間ＣＴ１を決定するとともに、脈波弁別回路５２から供給される足首脈波信号ＳＭＡが表す足首脈波ｗａの特徴点が検出された時間から、予め実験に基づいて設定された第２遅れ時間ＴＬ２を引くことにより、その特徴点の検出時間を補正した第２補正特徴点検出時間ＣＴ２を決定する。なお、上腕脈波信号ＳＭＢおよび足首脈波信号ＳＭＡは、カフ圧制御手段８０により上腕カフ圧ＰＣＢおよび足首カフ圧ＰＣＡが前記脈波検出圧にそれぞれ制御されている状態で供給されるものを用いる。
【００２４】
上記特徴点は脈波に周期的に発生する部位であり、たとえば、立ち上がり点、ピーク、ノッチ（切痕）などがあり、本脈波伝播速度測定装置１０では、上腕脈波ｗｂについては立ち上がり点およびノッチを特徴点とし、足首脈波ｗａについては立ち上がり点を特徴点とする。従って、第１遅れ時間ＴＬ１については、立ち上がり点を特徴点とする第１遅れ時間ＴＬ１ｓと、ノッチを特徴点とする第１遅れ時間ＴＬ１ｎの２つの第１遅れ時間ＴＬ１が定められており、補正特徴点検出時間決定手段８２は、第１補正特徴点検出時間ＣＴ１については、上腕脈波ｗｂの立ち上がり点の検出時間を補正した補正立ち上がり点検出時間ＣＴ１ｓと、上腕脈波ｗｂのノッチの検出時間を補正した補正ノッチ検出時間ＣＴ１ｎとを決定する。
【００２５】
上記第１遅れ時間ＴＬ１は、第１配管２２の長さなどの装置構成に起因する遅れ時間と特徴点の部位によって異なる応答遅れ時間との合計時間が、実験に基づいて測定されて決定された値であり、同様に、第２遅れ時間ＴＬ２は、第２配管５４の長さなどの装置構成に起因する遅れ時間と特徴点の部位によって異なる応答遅れ時間との合計時間が、実験に基づいて測定されて決定された値である。
【００２６】
上記第１遅れ時間ＴＬ１および第２遅れ時間ＴＬ２の決定方法について、ノッチを特徴点とする第１遅れ時間ＴＬ１ｎを例にしてさらに詳しく説明する。先端部に圧力センサを備えたカテーテルを動脈に挿入することにより観血的に測定した脈波、あるいは、圧力センサにより生体の表皮上から動脈血管を平坦部分が形成されるような押圧力で押圧した状態でその圧力センサにより測定した脈波（すなわち所謂トノメトリ法により測定した脈波）は、動脈に脈波が発生した時点に対してほとんど時間的に遅れていない（あるいはカフ脈波よりは十分に少ない時間遅れが少ない）と考えられることから、本脈波伝播速度測定装置１０によりカフ脈波（上腕脈波ｗｂ）を測定するとともに、観血的手法あるいはトノメトリ法により脈波を測定する。そして、両脈波のノッチの検出時間差を第１遅れ時間ＴＬ１ｎとする。具体的には、第１遅れ時間ＴＬ１ｎは、たとえば８ｍｓｅｃに決定される。なお、カフ脈波の測定と、観血的手法あるいはトノメトリ法による脈波の測定とは同時に行われることが好ましいが、時間的に前後していてもよい。時間的に前後して両脈波が測定される場合には、心電図のＲ波などの所定の基準信号が検出されてから脈波のノッチが検出されるまでの時間を比較することにより第１遅れ時間ＴＬ１ｎを決定する。
【００２７】
立ち上がり点を特徴点とする第１遅れ時間ＴＬ１ｓも、ノッチを特徴点とする第１遅れ時間ＴＬ１ｎと同様にして決定するが、立ち上がり点はノッチよりも応答遅れ時間が短いので、立ち上がり点を特徴点とする第１遅れ時間ＴＬ１ｓはノッチを特徴点とする第１遅れ時間ＴＬ１ｎよりも短い時間となる。また、第１遅れ時間ＴＬ１および第２遅れ時間ＴＬ２は、複数回の実験においてそれぞれ算出された複数の値が平均化された値が用いられることが好ましい。
【００２８】
脈波伝播速度情報算出手段として機能する脈波伝播速度算出手段８４は、補正特徴点検出時間決定手段８２により決定された２つの第１補正特徴点検出時間ＣＴ１（すなわち補正立ち上がり点検出時間ＣＴ１ｓおよび補正ノッチ検出時間ＣＴ１ｎ）、第２補正特徴点検出時間ＣＴ２、および心音マイク６４により検出される心音信号ＳＨが表す心音波形の所定部位の検出時間に基づいて、心臓から上腕１２、心臓から足首１６、上腕１２から足首１６の３つの測定区間の脈波伝播速度ＰＷＶをそれぞれ算出する。
【００２９】
すなわち、脈波伝播速度算出手段８４は、まず、心臓と上腕１２との間の血管長すなわち伝播距離Ｌ１と、身長ｔとの間の予め記憶された関係式である式１、心臓と足首１６との間の血管長すなわち伝播距離Ｌ２と、身長ｔとの間の予め記憶された関係式である式２、心臓と足首１６との間の血管長から心臓と上腕１２との間の血管長を引いた長さである伝播距離Ｌ３と、身長ｔとの間の予め記憶された関係式である式３に、入力装置６２から供給された身長信号ｓｔが表す被測定者の身長ｔをそれぞれ代入することにより、伝播距離Ｌ１、Ｌ２、Ｌ３を決定する。
（式１）　Ｌ１＝α１ｔ＋β１
（式２）　Ｌ２＝α２ｔ＋β２
（式３）　Ｌ３＝α３ｔ＋β３
（α１，β１，α２，β２，α３，β３は、実験に基づいて決定された定数）
【００３０】
そして、心音波形において脈波のノッチ（すなわち上腕脈波ｗｂの特徴点）に対応する部位であるＩＩ音の開始点が検出された時間と補正ノッチ検出時間ＣＴ１ｎとの時間差（ｓｅｃ）を、心臓と上腕１２との間の脈波伝播時間ｈｂＤＴとして算出し、心音波形において脈波の立ち上がり点（すなわち足首脈波ｗａの特徴点）に対応する部位であるＩ音の開始点が検出された時間と第２補正特徴点検出時間ＣＴ２との時間差（ｓｅｃ）を、心臓と足首１６との間の脈波伝播時間ｈａＤＴとして算出し、補正立ち上がり点検出時間ＣＴ１ｓと第２補正特徴点検出時間ＣＴ２との時間差（ｓｅｃ）を、足首１６と上腕１２との間の脈波伝播時間ｂａＤＴとして算出する。
【００３１】
そして、伝播距離Ｌ１と脈波伝播時間ｈｂＤＴとを式４に代入することにより、心臓と上腕１２との間の脈波伝播速度ｈｂＰＷＶ（ｍ／ｓｅｃ）を算出し、伝播距離Ｌ２と脈波伝播時間ｈａＤＴとを式５に代入することにより、心臓と足首１６との間の脈波伝播速度ｈａＰＷＶ（ｍ／ｓｅｃ）を算出し、伝播距離Ｌ３と脈波伝播時間ｂａＤＴとを式６に代入することにより、足首１６と上腕１２との間の脈波伝播速度ｂａＰＷＶを算出（ｍ／ｓｅｃ）し、それら算出した脈波伝播速度ｈｂＰＷＶ，ｈａＰＷＶ，ｂａＰＷＶを表示器７４に表示する。
（式４）　ｈｂＰＷＶ＝Ｌ１／ｈｂＤＴ
（式５）　ｈａＰＷＶ＝Ｌ２／ｈａＤＴ
（式６）　ｂａＰＷＶ＝Ｌ３／ｂａＤＴ
【００３２】
図３は、図２の機能ブロック線図に示したＣＰＵ６８の制御作動の要部を説明するフローチャートである。なお、図３は、入力装置６２から身長信号ｓｔが供給されていることを条件に実行されるようになっている。
【００３３】
図３において、ステップＳ１（以下、ステップを省略する。）では、空気ポンプ３０、４８および調圧弁２６、４６を制御することにより、上腕カフ圧ＰＣＢおよび足首カフ圧ＰＣＡをそれぞれ予め５０ｍｍＨｇに設定されている脈波検出圧に制御する。
【００３４】
そして、続くＳ２では、脈波弁別回路３４から供給される上腕脈波信号ＳＭＢ、脈波弁別回路５２から供給される足首脈波信号ＳＭＡ、および心音マイク６４から供給される心音信号ＳＨをそれぞれ一拍分ずつ読み込む。そして、続くＳ３では、空気ポンプ３０、４８を停止させ、調圧弁２６、４６を制御することにより、上腕カフ圧ＰＣＢおよび足首カフ圧ＰＣＡを大気圧まで排圧する。図３では、Ｓ１およびＳ３がカフ圧制御手段８０に相当する。
【００３５】
続いて補正特徴点検出時間決定手段８２に相当するＳ４乃至Ｓ５を実行する。まず、Ｓ４では、前記Ｓ２で読み込んだ一拍分の上腕脈波信号ＳＭＢが表す上腕脈波ｗｂについて、立ち上がり点およびノッチの検出時間を決定し、且つ、同じく前記Ｓ２で読み込んだ一拍分の足首脈波信号ＳＭＡが表す足首脈波ｗａについて、立ち上がり点の検出時間を決定する。
【００３６】
そして、続くＳ５では、Ｓ４で決定した上腕脈波ｗｂの立ち上がり点検出時間から、立ち上がり点を特徴点とする第１遅れ時間ＴＬ１ｓを引くことにより、補正立ち上がり点検出時間ＣＴ１ｓを決定し、Ｓ４で決定した上腕脈波ｗｂのノッチ検出時間から、ノッチを特徴点とする第１遅れ時間ＴＬ１ｎを引くことにより、補正ノッチ検出時間ＣＴ１ｎを決定し、Ｓ４で決定した足首脈波ｗａの立ち上がり点検出時間から、第２遅れ時間ＴＬ２を引くことにより、第２補正特徴点検出時間ＣＴ２を決定する。
【００３７】
続いて、脈波伝播速度算出手段８４に相当するＳ６乃至Ｓ９を実行する。Ｓ６では、前記Ｓ２で読み込んだ一拍分の心音信号ＳＨが表す心音波形において、Ｉ音の開始点およびＩＩ音の開始点の検出時間を決定する。続くＳ７では、予め供給されている身長信号ｓｔが表す被測定者の身長ｔを、前記式１、２、３に代入することにより、伝播距離Ｌ１、Ｌ２、Ｌ３を算出する。
【００３８】
続くＳ８では、Ｓ５で決定した補正ノッチ検出時間ＣＴ１とＳ６で決定した心音のＩＩ音の開始点の検出時間との時間差を、心臓と上腕１２との間の脈波伝播時間ｈｂＤＴとして算出し、Ｓ５で決定した第２補正特徴点検出時間ＣＴ２とＳ６で決定した心音のＩ音の開始点の検出時間との時間差を、心臓と足首１６との間の脈波伝播時間ｈａＤＴとして算出し、Ｓ５で決定した補正立ち上がり点検出時間ＣＴ１ｓと第２補正特徴点検出時間ＣＴ２との時間差を、上腕１２と足首１６との間の脈波伝播時間ｂａＤＴとして算出する。
【００３９】
続くＳ９では、Ｓ８で算出した脈波伝播時間ｈｂＤＴ，ｈａＤＴ，ｂａＤＴ、およびＳ７で算出した伝播距離Ｌ１，Ｌ２，Ｌ３を前記式４，５，６に代入することにより、３つの脈波伝播速度ｈｂＰＷＶ，ｈａＰＷＶ，ｂａＰＷＶをそれぞれ算出し、その算出した３つの脈波伝播速度ｈｂＰＷＶ，ｈａＰＷＶ，ｂａＰＷＶを表示器７４に表示する。
【００４０】
上述の脈波伝播速度情報測定装置１０によれば、補正特徴点検出時間決定手段８２（Ｓ４乃至Ｓ５）により決定される補正立ち上がり点検出時間ＣＴ１ｓ、補正ノッチ検出時間ＣＴ１ｎ、第２補正特徴点検出時間ＣＴ２は、カフ脈波（上腕脈波ｗｂ、足首脈波ｗａ）の特徴点（立ち上がり点、ノッチ）の検出時間から予め定められた遅れ時間ＴＬ１ｓ、ＴＬ１ｎ、ＴＬ２を引いた時間であるので、補正立ち上がり点検出時間ＣＴ１ｓ、補正ノッチ検出時間ＣＴ１ｎ、第２補正特徴点検出時間ＣＴ２は実際の特徴点の発生時間を正確に表している。
【００４１】
また、上述の脈波伝播速度情報測定装置１０によれば、補正立ち上がり点検出時間ＣＴ１ｓ、補正ノッチ検出時間ＣＴ１ｎは、特徴点の部位によって異なる値に設定された遅れ時間ＴＬ１ｓ，ＴＬ１ｎに基づいて決定されているので、それら補正立ち上がり点検出時間ＣＴ１ｓ、補正ノッチ検出時間ＣＴ１ｎは、実際の特徴点の発生時間をより正確に表している。
【００４２】
また、上述の脈波伝播速度情報測定装置１０は、特徴点の発生時間を正確に表している補正立ち上がり点検出時間ＣＴ１ｓ、補正ノッチ検出時間ＣＴ１ｎ、第２補正特徴点検出時間ＣＴ２に基づいて脈波伝播速度ＰＷＶを算出しているので、正確な脈波伝播速度ＰＷＶが得られる。
【００４３】
以上、本発明の実施形態を図面に基づいて詳細に説明したが、本発明はその他の態様においても適用される。
【００４４】
たとえば、前述の脈波伝播速度情報測定装置１０では、第１遅れ時間ＴＬ１として、立ち上がり点を特徴点とする第１遅れ時間ＴＬ１ｓとノッチを特徴点とする第１遅れ時間ＴＬ１ｎの２つが定められていたが、脈波の部位によって応答遅れ時間が異なる程度はそれほど大きくないので、特徴点の部位に拘わらず同じ遅れ時間が用いられてもよい。
【００４５】
また、前述の脈波伝播速度情報測定装置１０では、上腕１２と足首１６にカフ２０、４２が装着されていたが、他の部位、たとえば、大腿部にカフが装着されてもよい。
【００４６】
なお、本発明はその主旨を逸脱しない範囲において、その他種々の変更が加えられ得るものである。
【図面の簡単な説明】
【図１】本発明が適用された脈波伝播速度情報測定装置の構成を示すブロック図である。
【図２】図１の電子制御装置の制御機能の要部を説明する機能ブロック線図である。
【図３】図２の機能ブロック線図に示したＣＰＵの制御作動の要部を説明するフローチャートである。
【符号の説明】
１０：脈波伝播速度情報測定装置（カフ脈波検出装置）
２０：上腕用カフ（第１カフ）
２２：第１配管
２４：第１圧力センサ
４２：足首用カフ（第２カフ）
４４：第２圧力センサ
５４：第２配管
８２：補正特徴点検出時間決定手段
８４：脈波伝播速度算出手段
【図１】
2004073722.tif 000003
【図２】
2004073722.tif 000004
【図３】
2004073722.tif 000005